(57)【要約】【課題】被収納物が空隙部内に入り込むことにより蓋部の円滑なスライドが妨げられる不具合を抑制する。【解決手段】コンソールボックス１１は、被収納物Ａが収納されるボックス本体１２と、ボックス本体１２における被収納物Ａの出し入れ口１４の近傍に設けられた軸１５を支点として回動し得るヒンジ部１６と、出し入れ口１４を閉塞する閉位置Ｐｓと開放する開位置との間でスライドし、かつ開位置でヒンジ部１６とともに軸１５を支点として回動し得る蓋部２１と、蓋部２１の出し入れ口１４側に設けられ、蓋部２１と一体でスライド及び回動可能であり、そのスライドに伴いヒンジ部１６に対し接近及び離間する機能部品（ロック機構２４のロックベース部２５）とを備える。コンソールボックス１１は、ヒンジ部１６及びロックベース部２５間に生ずる空隙部２８を閉塞した状態で蓋部２１のスライドに伴い伸縮する可動カバー部３１をさらに備える。【選択図】図１
2009173117.tif 000002
【特許請求の範囲】
【請求項１】
被収納物が収納されるボックス本体と、
前記ボックス本体における前記被収納物の出し入れ口の近傍に設けられた軸を支点として回動し得るヒンジ部と、
前記出し入れ口を閉塞する閉位置と開放する開位置との間でスライドし、かつ前記開位置で前記ヒンジ部とともに前記軸を支点として回動し得る蓋部と、
前記蓋部の前記出し入れ口側に設けられ、同蓋部と一体でスライド及び回動可能であり、そのスライドに伴い前記ヒンジ部に対し接近及び離間する機能部品と
を備える収納装置において、
前記ヒンジ部及び前記機能部品間に生ずる空隙部を閉塞した状態で前記蓋部のスライドに伴い伸縮する可動カバー部をさらに備えることを特徴とする収納装置。
【請求項２】
前記ヒンジ部は前記機能部品側へ延出する板状のヒンジ本体を有しており、
前記可動カバー部は、前記ヒンジ本体と、前記機能部品から前記ヒンジ部側へ延出して前記ヒンジ本体と重なる板状カバー部とを含み、前記蓋部のスライドに伴い前記板状カバー部が前記ヒンジ本体との重なり度合いを変えることにより伸縮するものである請求項１に記載の収納装置。
【請求項３】
前記板状カバー部は前記ヒンジ本体よりも前記出し入れ口側に設けられており、
前記板状カバー部が前記ヒンジ本体に最も多く重なったときの同板状カバー部の延出端の近傍には、同ヒンジ本体から前記出し入れ口側へ膨出する膨出部が設けられており、
前記膨出部は、前記板状カバー部の出し入れ口側の面と略同一面上に頂面を有する請求項２に記載の収納装置。
【発明の詳細な説明】
【技術分野】
【０００１】
本発明は、車室内に装備されるコンソールボックス等の収納装置に関するものである。
【背景技術】
【０００２】
自動車の運転席と助手席との間には、小物類等を収納するコンソールボックスが装備されている。このコンソールボックスとして、蓋部を自動車の後方へスライドさせた後に回動させて被収納物の出し入れ口を開放するタイプがある（例えば特許文献１参照）。
【０００３】
上記特許文献１を含め、この種のコンソールボックスは、図６及び図７に示す共通の構成を有している。すなわち、コンソールボックス５０におけるボックス本体５２の上端には被収納物Ａの出し入れ口５３が開口されている。ボックス本体５２の上端後部には軸５４が配置されており、この軸５４上にヒンジ部５５が回動可能に設けられている。また、ボックス本体５２の上側には蓋部５６が配設されている。この蓋部５６は、出し入れ口５３を閉塞する閉位置Ｐｓ（図６参照）と、開放する開位置Ｐｏ（図７参照）との間でスライド可能であり、さらに同開位置Ｐｏでは上記ヒンジ部５５とともに上記軸５４を支点として矢印Ｘで示す方向へ回動可能である（図７参照）。コンソールボックス５０の前部には、上記蓋部５６が閉位置Ｐｓまでスライドさせられたとき、その蓋部５６をスライド不能にロックするロック機構５７が設けられている。ロック機構５７は、その一部として、上記蓋部５６と一体となってスライド及び回動するとともに、そのスライドに伴いヒンジ部５５に接近及び離間するロックベース部５８を備えている。このタイプのコンソールボックス５０では、蓋部５６がスライドの後に回動させられるため、スライドしないものに比べて回動半径が小さく、使い勝手がよい。
【０００４】
さらに、上記特許文献１では、蓋部５６の回動時に同蓋部５６のスライドを規制するようにしている。これは、出し入れ口５３を閉塞する際に不用意に蓋部５６がスライドするのを規制することで、ボックス本体５２内に出し入れ口５３よりも上方に突出するような被収納物Ａが収容されていても、スライドにより蓋部５６が被収納物Ａに引っ掛かって開放不能となる不具合を抑制するためである。
【特許文献１】特開２０００−７１８８６号公報
【発明の開示】
【発明が解決しようとする課題】
【０００５】
ところが、上記特許文献１に記載されたものを含め、上記従来のコンソールボックス５０では、ヒンジ部５５とロックベース部５８との間に、下面の開放された空隙部５９が生じ、この空隙部５９の大きさが蓋部５６のスライドに伴い変化する。すなわち、蓋部５６が閉位置Ｐｓにあるときには、ロックベース部５８がヒンジ部５５から前方へ大きく離れ、上記空隙部５９が最大となる。そして、蓋部５６の閉位置Ｐｓから開位置Ｐｏへのスライドに伴いロックベース部５８がヒンジ部５５に接近し、上記空隙部５９が小さくなる。
【０００６】
そのため、蓋部５６が閉位置Ｐｓにあるとき、すなわち出し入れ口５３が閉塞されているときに被収納物Ａが倒れる等して、その一部が上記空隙部５９に入り込むと、この被収納物Ａが蓋部５６の開位置Ｐｏへのスライドを妨げようとする。その結果、蓋部５６の円滑なスライドが困難となるおそれがある。この問題は、コンソールボックス５０に限らず、ボックス本体、ヒンジ部及び蓋部を備えるとともに、上記ロックベース部５８等の機能部品を備え、蓋部をスライド及び回動させる収納装置であれば上記コンソールボックス５０と同様に生ずる。
【０００７】
本発明は、このような実情に鑑みてなされたものであって、その目的は、被収納物が空隙部内に入り込むことにより蓋部の円滑なスライドが妨げられる不具合を解消することのできる収納装置を提供することにある。
【課題を解決するための手段】
【０００８】
上記の目的を達成するために、請求項１に記載の発明は、被収納物が収納されるボックス本体と、前記ボックス本体における前記被収納物の出し入れ口の近傍に設けられた軸を支点として回動し得るヒンジ部と、前記出し入れ口を閉塞する閉位置と開放する開位置との間でスライドし、かつ前記開位置で前記ヒンジ部とともに前記軸を支点として回動し得る蓋部と、前記蓋部の前記出し入れ口側に設けられ、同蓋部と一体でスライド及び回動可能であり、そのスライドに伴い前記ヒンジ部に対し接近及び離間する機能部品とを備える収納装置において、前記ヒンジ部及び前記機能部品間に生ずる空隙部を閉塞した状態で前記蓋部のスライドに伴い伸縮する可動カバー部をさらに備えることを要旨とする。
【０００９】
なお、上記機能部品としては、例えば、閉位置までスライドした蓋部をスライド不能にロックするロック機構の一部として設けられ、かつ同ロック機構の可動部品等が取付けられる箇所として機能するロックベース部が挙げられる。
【００１０】
上記の構成によれば、閉位置では出し入れ口が蓋部によって閉塞される。そのため、ボックス本体内に収納された被収納物が、出し入れ口を通じボックス本体の外部へ飛び出すことが規制される。また、このときには蓋部に設けられた機能部品がヒンジ部から大きく離れていて、両者の間に空隙部が形成されるが、この空隙部は可動カバー部によって閉塞される。
【００１１】
上記ボックス本体から被収納物を取り出したり、同ボックス本体内に被収納物を入れたりする際には、蓋部が上記閉位置から開位置へスライドされる。このスライドに伴い機能部品がヒンジ部に接近し、空隙部の大きさが小さくなるとともに、可動カバー部が収縮する。このときにも空隙部は収縮する可動カバー部によって閉塞される。
【００１２】
このように、蓋部が閉位置及び開位置間のどの位置にあるときでも、機能部品及びヒンジ部間の空隙部が可動カバー部によって閉塞されていて、被収納物の空隙部内への入り込みが可動カバー部によって規制される。従って、蓋部のスライド時に機能部品が被収納物に引っ掛かることがなく、蓋部の開位置へのスムーズなスライドが可能となる。
【００１３】
そして、開位置までスライドされた上記蓋部がヒンジ部とともに軸を支点として回動されると、出し入れ口が大きく開放され、この出し入れ口を通じた被収納物の出し入れが可能となる。なお、出し入れ口を閉塞する際には、蓋部が上記とは逆の順に作動（回動及びスライド）させられる。
【００１４】
請求項２に記載の発明は、請求項１に記載の発明において、前記ヒンジ部は前記機能部品側へ延出する板状のヒンジ本体を有しており、前記可動カバー部は、前記ヒンジ本体と、前記機能部品から前記ヒンジ部側へ延出して前記ヒンジ本体と重なる板状カバー部とを含み、前記蓋部のスライドに伴い前記板状カバー部が前記ヒンジ本体との重なり度合いを変えることにより伸縮するものであることを要旨とする。
【００１５】
上記の構成によれば、ヒンジ本体と板状カバー部とは蓋部の位置に拘わらず常に重なり合う。板状カバー部のヒンジ本体との重なり度合いは蓋部のスライドに伴い変化する。重なり度合いは蓋部が閉位置にあるときに最小となり、蓋部が開位置へ向けてスライドするに従い増加し、閉位置では最大となる。このように重なり度合いが変化することで、可動カバー部の伸縮が実現される。
【００１６】
蓋部が閉位置及び開位置間のどの位置にあるときでも、機能部品及びヒンジ部間の空隙部が、上記のように伸縮する可動カバー部（板状カバー部及びヒンジ本体）によって閉塞されるため、上記請求項１に記載の効果が確実に得られる。
【００１７】
請求項３に記載の発明は、請求項２に記載の発明において、前記板状カバー部は前記ヒンジ本体よりも前記出し入れ口側に設けられており、前記板状カバー部が前記ヒンジ本体に最も多く重なったときの同板状カバー部の延出端の近傍には、同ヒンジ本体から前記出し入れ口側へ膨出する膨出部が設けられており、前記膨出部は、前記板状カバー部の出し入れ口側の面と略同一面上に頂面を有することを要旨とする。
【００１８】
上記の構成によれば、蓋部の閉位置から開位置へのスライドに伴い板状カバー部がヒンジ本体の膨出部に接近する。そして、板状カバー部及びヒンジ本体が最も多く重なり合う開位置では、板状カバー部が膨出部に最も接近する。このとき、膨出部の頂面が板状カバー部の出し入れ口側の面と略同一面上に位置する。そのため、蓋部が軸を支点とし回動されて板状カバー部及びヒンジ本体がボックス本体の外部に現出したときには、板状カバー部及びヒンジ本体間に大きな段差が見えることはなく、板状カバー部及びヒンジ本体が滑らかに繋がっているように見える。従って、板状カバー部及びヒンジ本体の重なり合い部分の近傍にこうした膨出部がなく、板状カバー部及びヒンジ本体間に段差が存在するものに比べ蓋部ひいては収納装置が見栄えのよいものとなる。
【発明の効果】
【００１９】
本発明の収納装置によれば、ヒンジ部及び機能部品間に生ずる空隙部を覆った状態で蓋部のスライドに伴い伸縮する可動カバー部を設けたため、被収納物が上記空隙部内に入り込むことにより蓋部の円滑なスライドが妨げられる不具合を抑制することができる。
【発明を実施するための最良の形態】
【００２０】
以下、本発明を具体化した一実施形態について、図１〜図３を参照して説明する。
なお、以下の記載において、自動車の前進方向を前方として説明し、後進方向を後方として説明する。また、各図において、「前」は前側を、「後」は後側をそれぞれ示している。
【００２１】
自動車の運転席と助手席との間には、図１及び図２に示すように小物類等の被収納物を収納する収納装置としてコンソールボックス１１が装備されている。コンソールボックス１１は、図１及び図２において二点鎖線で示すように前後方向に長いボックス本体１２を備えている。ボックス本体１２は、自動車の床に固定されており、被収納物Ａを収納するための空間（収納空間１３）を有している。ボックス本体１２は、その上面において前後方向に細長い長方形状に開口されており、この開口部分が被収納物Ａの出し入れ口１４となっている。
【００２２】
ボックス本体１２における出し入れ口１４の近傍、ここでは、ボックス本体１２の後端部には車幅方向（紙面に直交する方向）に延びる軸１５が移動不能に設けられている。この軸１５上には、同軸１５を支点として回動し得るヒンジ部１６が配設されている。ヒンジ部１６は、前記軸１５から略前方（略水平方向）へ延びる四角板状のヒンジ本体１７と、そのヒンジ本体１７の前端部及び後端部からそれぞれ上方へ突出する壁部１８とを備えている。ヒンジ本体１７の上記延出方向は、後述するロックベース部２５に向かう方向でもある。ヒンジ本体１７の車幅方向についての両側の外側面であって、各外側面の前端部及び後端部からは外側方へ向けてガイドピン（図示略）が突出している。
【００２３】
上記ボックス本体１２の上側には、前後方向に長く、かつ所定の厚みを有する平面略長方形状の蓋部２１が配設されている。蓋部２１は、出し入れ口１４を閉塞する閉位置Ｐｓ（図１参照）と開放する開位置Ｐｏ（図２参照）との間でスライドし、かつ開位置Ｐｏでヒンジ部１６とともに軸１５を支点として回動可能である。蓋部２１は、その上半部を構成する上部構成部材２２と、下半部を構成する下部構成部材２３とを備えて構成されている。上部構成部材２２及び下部構成部材２３は相互に連結されていて一体となっている。下部構成部材２３の車幅方向についての両側の内側面には前後方向に延びるガイド溝（図示略）がそれぞれ設けられており、上述したヒンジ部１６の４本のガイドピンが対応するガイド溝内に係入されている。
【００２４】
上記蓋部２１の前側下部には、閉位置Ｐｓまでスライドさせられた蓋部２１をスライド不能にロックするロック機構２４が設けられている。ロック機構２４は、その一部としてロックベース部２５及び解除レバー２６を備えている。ロックベース部２５は、請求項における機能部品に該当するものであり、ここにロック機構２４の可動部品等（図示略）が取付けられる。ロックベース部２５は蓋部２１に連結されており、蓋部２１と一体となってスライド及び回動可能である。また、ロックベース部２５は、上記蓋部２１のスライドに伴い上記ヒンジ部１６に対し接近及び離間する。ロックベース部２５は、上方へ突出する壁部２７を有しており、被収納物Ａが上記ロック機構２４の構成部品と干渉するのを壁部２７によって規制するようにしている。解除レバー２６は、ロック機構２４によるロックを解除する際に引き上げ操作されるレバーである。
【００２５】
さらに、コンソールボックス１１は、空隙部２８を閉塞した状態で蓋部２１の前記スライドに伴い伸縮する可動カバー部３１を備えている。空隙部２８は、ヒンジ部１６及びロックベース部２５間に生ずる空間であり、上記可動カバー部３１がなければ、自身の下端が開口される空間である。可動カバー部３１は、上記板状のヒンジ本体１７と、上記ロックベース部２５から後方、すなわちヒンジ部１６側へ向けて延出する板状カバー部３２とを備えている。可動カバー部３１は、上記閉位置Ｐｓ及び開位置Ｐｏ間での蓋部２１の位置に拘わらず常にヒンジ本体１７の直下で重なっている。そして、可動カバー部３１は、板状カバー部３２が蓋部２１のスライドに伴いヒンジ本体１７との重なり度合いを変えることにより伸縮する。
【００２６】
次に、上記のように構成された本実施形態のコンソールボックス１１の作用について説明する。
図１は、蓋部２１がロック機構２４によって閉位置Ｐｓにロックされている状態を示している。この状態では、出し入れ口１４の上方で蓋部２１が略水平状態となっていて、同出し入れ口１４が閉塞されている。そのため、ボックス本体１２の収納空間１３に被収納物Ａが収納されている場合には、その被収納物Ａが出し入れ口１４を通じボックス本体１２の外部へ飛び出すことが、ロックベース部２５、ヒンジ部１６等によって規制される。
【００２７】
また、このときには上記ロック機構２４により蓋部２１が閉位置Ｐｓに保持され、同閉位置Ｐｓからの蓋部２１のスライドが不能となる。さらに、ロックベース部２５の壁部２７がヒンジ部１６から前方へ大きく離れていて、両者２７，１６の間には、図１において一点鎖線で示す空隙部２８が形成される。しかし、板状カバー部３２の後端部がヒンジ本体１７の前端部の直下に位置し、それら板状カバー部３２及びヒンジ本体１７が上下に重なり合っていて、空隙部２８が板状カバー部３２によって閉塞されている。そのため、収納空間１３内で被収納物Ａが倒れる等して空隙部２８内に入り込もうとしても、その入り込みが板状カバー部３２によって規制される。なお、このときの板状カバー部３２のヒンジ本体１７との重なり度合いは最小となる。
【００２８】
上記収納空間１３から被収納物Ａを取り出したり、同収納空間１３に被収納物Ａを入れたりする際には、解除レバー２６を引き上げ操作することで、ロック機構２４によるロックを解除する。この状態で蓋部２１を後方へ押圧すると、ガイド溝とガイドピンとの係合により移動方向を規制された蓋部２１が、図２に示すようにヒンジ本体１７に沿って略水平状態を維持しながら上記閉位置Ｐｓから開位置Ｐｏへ向けてスライドする。このスライドに伴いロックベース部２５の壁部２７が軸１５に接近し、空隙部２８が小さくなるとともに可動カバー部３１が収縮する。板状カバー部３２のヒンジ本体１７との重なり度合いは、蓋部２１の上記スライドが進むにつれて増加する。このようにヒンジ本体１７と重なる板状カバー部３２によって空隙部２８が閉塞されるため、蓋部２１のスライド時にも上記出し入れ口１４の閉塞時と同様に、被収納物Ａの空隙部２８への入り込みが規制される。蓋部２１のスライド時にロックベース部２５、特に壁部２７が被収納物Ａに引っ掛かることがなく、蓋部２１の開位置Ｐｏへのスムーズなスライドが可能となる。
【００２９】
蓋部２１が開位置Ｐｏまでスライドさせられると、板状カバー部３２の後端部がヒンジ本体１７の直下で軸１５の近傍に位置し、同板状カバー部３２の多くとヒンジ本体１７の全体とが上下に重なり合い、板状カバー部３２のヒンジ本体１７との重なり度合いが最大となる。そして、この蓋部２１を、図３に示すようにロック機構２４及びヒンジ部１６とともに軸１５を支点として同図の時計回り方向へ回動させると、蓋部２１等が前側ほど高くなるように傾斜する。出し入れ口１４が大きく開放され、この出し入れ口１４を通じた被収納物Ａの出し入れが可能となる。
【００３０】
ここで、仮に、軸１５を蓋部２１の長手方向についての端部（後端部）に設定し、その軸１５を支点として蓋部２１を回動させる場合には、蓋部２１の長手方向の全長を回動半径として蓋部２１が開閉することになる。しかし、軸１５が蓋部２１の長手方向についての中間部分に位置する本実施形態では、回動半径が上記よりも小さくなる。これに伴い、蓋部２１を回動により傾斜させたとき、同蓋部２１のうち出し入れ口１４よりも高くなる部分の長さが短くなる。そのため、回動半径が大きい場合には、例えば、（ｉ）運転姿勢での蓋部２１の開閉操作が困難である、（ii）乗員の肘が蓋部２１に当りやすい等の不具合が問題となるが、本実施形態ではそうした不具合が起こりにくくなる。コンソールボックス１１は使い勝手のよいものとなる。
【００３１】
なお、出し入れ口１４を閉塞する場合には、蓋部２１を上記とは逆の順に作動（回動及びスライド）させる。すなわち、図３に示す状態から、蓋部２１をロック機構２４及びヒンジ部１６とともに軸１５を支点として同図の反時計回り方向へ回動させる。この回動により、図２に示すように蓋部２１等が水平状態となったところで、蓋部２１を前方へ押圧すると、ガイド溝とガイドピンとの係合により移動方向を規制された蓋部２１が、ヒンジ部１６のヒンジ本体１７に沿って略水平状態を維持しながら上記開位置Ｐｏから閉位置Ｐｓへ向けてスライドする。このスライドに伴いロックベース部２５の壁部２７がヒンジ部１６から前方へ遠ざかり、空隙部２８が拡大するとともに、可動カバー部３１が伸長する。板状カバー部３２及びヒンジ本体１７の重なり合い部分が少なくなる。このときにも空隙部２８は上記の伸長する可動カバー部３１によって閉塞される。蓋部２１が図１に示す閉位置Ｐｓまでスライドさせられると、ロック機構２４により蓋部２１等がその閉位置Ｐｓにロックされる。
【００３２】
以上詳述した本実施形態によれば、次の効果が得られる。
（１）ヒンジ部１６及びロックベース部２５（機能部品）間に生ずる空隙部２８を閉塞した状態で蓋部２１のスライドに伴い伸縮する可動カバー部３１を設けている。そのため、蓋部２１が閉位置Ｐｓ及び開位置Ｐｏ間のどの位置にあるときでも、空隙部２８を可動カバー部３１によって閉塞することができ、被収納物Ａが空隙部２８内に入り込むことにより蓋部２１の円滑なスライドが妨げられる現象を抑制することができる。
【００３３】
（２）板状のヒンジ本体１７と、ロックベース部２５からヒンジ部１６側へ延出してヒンジ本体１７と重なる板状カバー部３２とにより可動カバー部３１を構成し、蓋部２１のスライドに伴い板状カバー部３２がヒンジ本体１７との重なり度合いを変えることにより可動カバー部３１を伸縮させるようにしている。そのため、蓋部２１が閉位置Ｐｓ及び開位置Ｐｏ間のどの位置にあるときでも、上記のように伸縮する可動カバー部３１によって空隙部２８を閉塞して、上記（１）の効果を確実に得ることができる。
【００３４】
また、可動カバー部３１を、板状カバー部３２及びヒンジ本体１７といった少ない部品で、しかも簡単な構成で成立させることができる。
さらに、上記可動カバー部３１の一部として既設のヒンジ本体１７を利用しているため、可動カバー部３１の実現に際しては、既存のコンソールボックス１１に対し、ロックベース部２５に板状カバー部３２を追加するといった少ない変更を行うだけですむ。
【００３５】
（３）板状カバー部３２とヒンジ本体１７とが常に重なり合って空隙部２８を閉塞する構成を採用している。そのため、蓋部２１を回動させて出し入れ口１４を大きく開放したときにも、空隙部２８を蓋部２１の内側（出し入れ口１４側）に現出させず、その蓋部２１を見栄えのよいものとすることができる。
【００３６】
なお、本発明は次に示す別の実施形態に具体化することができる。
（ａ）閉位置Ｐｓにある蓋部２１が図４（Ａ）において二点鎖線で示すように、開位置Ｐｏまでスライドさせられて、ヒンジ本体１７と板状カバー部３２とが最も多く重なり合ったときの同板状カバー部３２の延出端３２Ａの近傍に、出し入れ口１４側（図４（Ａ）の下側）へ膨出する膨出部３３を設ける。そして、図４（Ｂ）に示すように膨出部３３の頂面３３Ａを、板状カバー部３２の出し入れ口１４側の面（下面）３２Ｂと略同一面上に形成する。頂面３３Ａは、ヒンジ本体１７の下面から下方へ最も遠ざかった面であり、図４（Ｂ）では膨出部３３の下端面がこれに該当する。
【００３７】
このようにすれば、蓋部２１の閉位置Ｐｓから開位置Ｐｏへのスライドに伴い板状カバー部３２がヒンジ本体１７の膨出部３３に接近する。そして、板状カバー部３２及びヒンジ本体１７が最も多く重なり合う開位置Ｐｏでは、板状カバー部３２が膨出部３３に最も接近する。このとき、膨出部３３の頂面３３Ａが板状カバー部３２の面３２Ｂと略同一面上に位置する。そのため、蓋部２１が軸１５を支点として回動されて板状カバー部３２及びヒンジ本体１７が収納空間１３の外部に現出したときには、板状カバー部３２及びヒンジ本体１７間に大きな段差が見えることはなく、板状カバー部３２及びヒンジ本体１７が滑らかに繋がっているように見える。従って、重なり合い部分の近傍にこうした膨出部３３がなく、板状カバー部３２及びヒンジ本体１７間に段差が存在するものに比べ、蓋部２１ひいてはコンソールボックス１１が見栄えのよいものとなる。
【００３８】
（ｂ）上記（ａ）における膨出部３３において、図４（Ｂ）に示すように、板状カバー部３２の延出端３２Ａに最も近い箇所の面を、ヒンジ本体１７に対し略直交する直交面３３Ｂとしてもよい。このように、膨出部３３に直交面３３Ｂを設けることで、蓋部２１が開位置Ｐｏまでスライドさせられて板状カバー部３２が膨出部３３に最も接近したとき、同板状カバー部３２と膨出部３３との間に生ずる間隙Ｇを小さくできる。蓋部２１が軸１５を支点とし回動されて板状カバー部３２及びヒンジ本体１７が収納空間１３の外部に現出したときの見栄えをよりよいものにすることができる。
【００３９】
（ｃ）上記（ａ），（ｂ）における膨出部３３において、図４（Ｂ）に示すように、頂面３３Ａを挟んで板状カバー部３２と反対側（図４（Ｂ）の右側）に、同頂面３３Ａに対しなす角θが鈍角となる傾斜面３３Ｃを形成してもよい。このようにすると、頂面３３Ａとヒンジ本体１７とが傾斜面３３Ｃを介して緩やかに繋がる。そのため、蓋部２１が軸１５を支点とし回動されて板状カバー部３２及びヒンジ本体１７が収納空間１３の外部に現出したときには、膨出部３３がヒンジ本体１７に滑らかに繋がっているように見え、見栄えのよいものとなる。
【００４０】
（ｄ）可動カバー部３１として、上述した板状カバー部３２に代え、図５に示すように１枚の布帛３５を採用してもよい。この場合、布帛３５の一端部（図５の前端部）３５Ａをロックベース部２５に係止する。また、ヒンジ部１６に巻取り装置３６を取り付け、上記布帛３５の他端部（図５の後端部）３５Ｂを巻取り装置３６に取付ける。そして、布帛３５を巻取り装置３６によって巻き取るようにする。
【００４１】
このように変更すると、蓋部２１の閉位置Ｐｓから開位置Ｐｏへのスライドに伴いロックベース部２５の壁部２７がヒンジ部１６に接近する際には、可動カバー部３１の布帛３５が巻取り装置３６により巻き取られることで布帛３５がロックベース部２５及びヒンジ部１６間で緊張させられる。これとは逆に、蓋部２１の開位置Ｐｏから閉位置Ｐｓへのスライドに伴いロックベース部２５の壁部２７がヒンジ部１６から前方へ遠ざかる際には、布帛３５が巻取り装置３６から引き出されることで布帛３５がロックベース部２５及びヒンジ部１６間で緊張させられる。
【００４２】
このように蓋部２１が閉位置Ｐｓ及び開位置Ｐｏ間のどの位置にあるときでも、布帛３５が緊張させられる。ロックベース部２５及びヒンジ部１６間の空隙部２８がこの布帛３５によって閉塞され、被収納物Ａが空隙部２８内に入り込む現象が規制される。従って、上記実施形態と同様、被収納物Ａが空隙部２８に入り込むことにより蓋部２１の円滑なスライドが妨げられる現象が起こりにくくなる。
【００４３】
なお、上記とは逆に、布帛３５の他端部（後端部）３５Ｂをヒンジ部１６に係止し、巻取り装置３６をロックベース部２５に設け、上記布帛３５の一端部（前端部）３５Ａを巻取り装置３６に取付けてもよい。この場合には、布帛３５は前方へ巻き取られることになるが、上記と同様の効果が得られる。
【００４４】
（ｅ）ロック機構２４のロックベース部２５とは異なる部材を機能部品としてもよい。機能部品は、蓋部２１の出し入れ口１４側に設けられ、蓋部２１と一体でスライド及び回動可能であり、そのスライドに伴いヒンジ部１６に対し接近及び離間するものであればよい。
【００４５】
（ｆ）板状カバー部３２には、（ｉ）蓋部２１を閉位置Ｐｓから開位置Ｐｏ側へスライドさせるときには、ヒンジ本体１７と重なった状態で同ヒンジ本体１７と係合し、（ii）同開位置Ｐｏではヒンジ部１６とともに回動する、ことが要求される。この際、板状カバー部３２及びヒンジ本体１７の重なり方向についての位置関係はさほど重要ではない。
【００４６】
従って、上記要求を満たすことを条件に、板状カバー部３２のヒンジ本体１７との重なり方向についての位置関係を、上記実施形態とは異なるものに変更してもよい。例えば、ヒンジ本体１７を挟んで出し入れ口１４とは反対側（図１の上側）で、板状カバー部３２を同ヒンジ本体１７に重ね合わせてもよい。
【００４７】
（ｇ）板状カバー部３２がヒンジ本体１７と重なり合わず接近していても、空隙部２８が可動カバー部３１によって実質的に閉塞された状態となり、被収納物Ａの空隙部２８内への入り込みを規制できる。
【００４８】
従って、蓋部２１の閉位置Ｐｓでは板状カバー部３２がヒンジ本体１７に対し重ならずに接近するようにしてもよい。このようにすることで、可動カバー部３１が、板状カバー部３２とヒンジ本体１７との間に実質的に隙間のない状態となり、空隙部２８を閉塞することができる。
【００４９】
さらに、この閉位置Ｐｓでは、板状カバー部３２をヒンジ本体１７と略同一面上に位置させるようにしてもよい。この場合、例えば解除レバー２６の引き上げ操作に伴い、板状カバー部３２がヒンジ部１６側ほど出し入れ口１４に近づく（図１では低くなる）ようにロックベース部２５を傾斜させる機構を設ける。このようにすれば、板状カバー部３２のヒンジ本体１７との干渉を回避しつつ、蓋部２１を閉位置Ｐｓから開位置Ｐｏ側へスライドさせることが可能となる。
【００５０】
なお、蓋部２１の閉位置Ｐｓよりも開位置Ｐｏ側の位置では、板状カバー部３２がヒンジ本体１７と重なり合い、かつ蓋部２１のスライドに伴いヒンジ本体１７との重なり度合いを変えるようにしてもよい。この点は、上記実施形態と同様である。
【００５１】
（ｈ）本発明は、上述したコンソールボックス１１以外の収納装置に適用することができる。適用可能な収納装置には、出し入れ口１４がボックス本体１２の上面以外の箇所で開口しているもの、例えば底面、前面、後面、側面において開口しているものも含まれる。
【００５２】
その他、前記各実施形態から把握できる技術的思想について、それらの効果とともに記載する。
（Ａ）請求項１に記載の収納装置において、前記機能部品及び前記ヒンジ部の一方には巻取り装置が取付けられ、
前記可動カバー部は、自身の一端部において前記機能部品及び前記ヒンジ部の他方に係止され、かつ自身の他端部において前記巻取り装置に巻き取られる布帛を備えている。
【００５３】
上記の構成によれば、蓋部が閉位置及び開位置間のどの位置にあるときでも、巻取り装置の巻き取りにより緊張した布帛によって機能部品及びヒンジ部間の空隙部を閉塞することができ、請求項１に記載の効果を確実に得ることができる。
【００５４】
（Ｂ）請求項３に記載の収納装置において、前記膨出部について前記板状カバー部の延出端に最も近い箇所には、前記ヒンジ本体に対し略直交する直交面が設けられている。
上記の構成によれば、板状カバー部と膨出部との間に生ずる間隙を小さくでき、蓋部が回動されて板状カバー部及びヒンジ本体がボックス本体の外部に現出したときの蓋部の見栄えをよりよいものにすることができる。
【００５５】
（Ｃ）請求項３又は上記（Ｂ）に記載の収納装置において、前記膨出部は、前記頂面を挟んで前記板状カバー部と反対側に、同頂面に対しなす角が鈍角となる傾斜面を有する。
上記の構成によれば、蓋部が回動されて板状カバー部及びヒンジ本体がボックス本体の外部に現出したとき、膨出部における頂面とヒンジ本体とが傾斜面によって緩やかに繋がっているように見え、蓋部をさらに見栄えのよいものにすることができる。
【００５６】
（Ｄ）請求項１に記載の収納装置において、前記ヒンジ部は前記機能部品側へ延出する板状のヒンジ本体を有しており、
前記可動カバー部は、前記ヒンジ本体と、前記機能部品から前記ヒンジ部側へ延出する板状カバー部とを含み、
前記板状カバー部は、前記蓋部の前記閉位置では、前記ヒンジ本体に対し重ならずに接近し、前記閉位置よりも前記開位置側の位置では前記ヒンジ本体に重なり、かつ前記蓋部のスライドに伴い前記ヒンジ本体との重なり度合いを変える。
【００５７】
上記の構成によれば、板状カバー部は、蓋部の閉位置ではヒンジ本体に対し重ならずに接近する。可動カバー部は、板状カバー部とヒンジ本体との間に実質的に隙間のない状態となって、空隙部を閉塞する。また、板状カバー部は、蓋部の閉位置よりも開位置側の位置ではヒンジ本体に重なる。可動カバー部では、このように重なり合った板状カバー部及びヒンジ本体によって空隙部を閉塞する。また、蓋部のスライドに伴い板状カバー部のヒンジ本体との重なり度合いが変えられることにより、可動カバー部の伸縮が実現される。
【図面の簡単な説明】
【００５８】
【図１】本発明の収納装置をコンソールボックスに具体化した一実施形態において、出し入れ口が蓋部によって閉塞された状態を示す部分断面図。
【図２】図１の状態から蓋部が開位置までスライドさせられた状態を示す部分断面図。
【図３】開位置で蓋部が回動させられて出し入れ口が大きく開放された状態を示す部分断面図。
【図４】（Ａ）はコンソールボックスにおけるヒンジ本体の別の実施形態を示す部分断面図、（Ｂ）は（Ａ）におけるＹ部を拡大して示す部分断面図。
【図５】コンソールボックスにおける可動カバー部の別の実施形態を示す部分断面図。
【図６】従来のコンソールボックスにおいて、出し入れ口が蓋部によって閉塞された状態を示す部分断面図。
【図７】図６の状態から蓋部が開位置までスライドさせられた状態を示す部分断面図。
【符号の説明】
【００５９】
１１…コンソールボックス（収納装置）、１２…ボックス本体、１４…出し入れ口、１５…軸、１６…ヒンジ部、１７…ヒンジ本体、２１…蓋部、２５…ロックベース部（機能部品）、２８…空隙部、３１…可動カバー部、３２…板状カバー部、３２Ａ…延出端、３２Ｂ…面、３３…膨出部、３３Ａ…頂面、Ａ…被収納物、Ｐｏ…開位置、Ｐｓ…閉位置。
【図１】
2009173117.tif 000003
【図２】
2009173117.tif 000004
【図３】
2009173117.tif 000005
【図４】
2009173117.tif 000006
【図５】
2009173117.tif 000007
【図６】
2009173117.tif 000008
【図７】
2009173117.tif 000009